(57)【要約】【課題】物質検出装置において、物質検出部のみを脱着可能とするプレートを提供する。【解決手段】本発明の脱着可能プレート２１は、半導体上に作製される絶縁体上に物質感応膜を作製した検出基板と、被検出物質を含む溶液を前記物質感応膜の表面へ接触させる手段と、前記溶液の電位を安定させる手段と、前記物質検出プレートにパルスレーザー光を照射することで、照射位置における被検出物質の量に依存する振幅強度を持ったパルス電磁波を発生させる手段と、前記パルス電磁波の振幅強度を計測する手段と、前記振幅強度より、被検出物質の有無を判定する手段を備えることを特徴とする物質検出装置において、半導体と、前記半導体上に作製される絶縁体と、前記絶縁体上に作製される複数の物質感応膜と、から構成される検出基板４と、穴の空いた絶縁性の円板３を備える。【選択図】図２
2009097975.tif 000002
【特許請求の範囲】
【請求項１】
半導体上に作製される絶縁体上に物質感応膜を作製した検出基板と、
被検出物質を含む溶液を前記物質感応膜の表面へ接触させる手段と、
前記溶液の電位を安定させる手段と、
前記物質検出プレートにパルスレーザー光を照射することで、照射位置における被検出物質の量に依存する振幅強度を持ったパルス電磁波を発生させる手段と、
前記パルス電磁波の振幅強度を計測する手段と、
前記振幅強度より、被検出物質の有無を判定する手段を備えることを特徴とする物質検出装置において、
半導体と、
前記半導体上に作製される絶縁体と、
前記絶縁体上に作製される複数の物質感応膜と、
から構成される検出基板と、
穴の空いた絶縁性の円板を有することを特徴とする脱着可能プレート。
【請求項２】
前記穴の空いた絶縁性の円板が溶液に接する面積が、前記検出基板が溶液に接触する面積より大きくなることを特徴とする請求項１に記載の脱着可能プレート。
【請求項３】
前記検出基板より電極を取り出す手段と、前記検出基板の外周を絶縁する手段を備えた請求項１または２に記載の脱着可能プレート。
【発明の詳細な説明】
【技術分野】
【０００１】
本発明は、半導体上に作製される絶縁体上に物質感応膜を作製した検出基板と、
被検出物質を含む溶液を前記物質感応膜の表面へ接触させる手段と、
前記溶液の電位を安定させる手段と、
前記物質検出プレートにパルスレーザー光を照射することで、照射位置における被検出物質の量に依存する振幅強度を持ったパルス電磁波を発生させる手段と、
前記パルス電磁波の振幅強度を計測する手段と、
前記振幅強度より、被検出物質の有無を判定する手段を備えることを特徴とする物質検出装置において、
検出基板の脱着を可能とする手段に関するものである。
【背景技術】
【０００２】
従来、被検出溶液と検出基板を接触させる手段として、物質検出プレートがある。
以下、図１を使用して説明をする。
溶液セル１Ａは、軸方向の一方の端面１ｂが開放され、他方の端面１ｃが閉じられた筒状部材であって、略垂直に設置される物質検出プレート２Ａの図示せぬ物質感応膜が設置される面に対し、前記端面１ｂが設置され、前記物質検出プレート１Ａによって、前記端面１ｂの開口が塞がれる。このようにして、前記溶液流入口３２、及び、前記溶液排出口３３を除き、前記溶液セル１Ａが密閉された状態となって、該溶液セル１Ａに注入される溶液を物質検出プレート２Ａの表面に設けられる物質感応膜に接触させることができる。
【特許文献１】特開２００２−３５０３８３
【発明の開示】
【発明が解決しようとする課題】
【０００３】
前記物質検出プレートでは、溶液セル１Ａを密閉するために、溶液セル１Ａと物質検出プレート２Ａを樹脂系接着剤で固定する必要があり、その為、溶液セル１Ａと物質検出プレート２Ａを分離できないという問題点があった。
【０００４】
しかも、物質検出プレートの使用後は、溶液セル１Ａと物質検出プレート２Ａを共に破棄する必要があった。
【０００５】
かかる従来の事情に鑑みて、発明者らは、物質検出部のみを脱着可能とするプレートを提供すべく研究開発を行い、本発明を成すに至ったものである。
【課題を解決するための手段】
【０００６】
本発明の解決しようとする課題は以上の如くであり、次にこの課題を解決するための手段を説明する。
【０００７】
即ち、請求項１に記載のごとく、
半導体上に作製される絶縁体上に物質感応膜を作製した検出基板と、
被検出物質を含む溶液を前記物質感応膜の表面へ接触させる手段と、
前記溶液の電位を安定させる手段と、
前記物質検出プレートにパルスレーザー光を照射することで、照射位置における被検出物質の量に依存する振幅強度を持ったパルス電磁波を発生させる手段と、
前記パルス電磁波の振幅強度を計測する手段と、
前記振幅強度より、被検出物質の有無を判定する手段を備えることを特徴とする物質検出装置において、
半導体と、
前記半導体上に作製される絶縁体と、
前記絶縁体上に作製される複数の物質感応膜と、
から構成される検出基板と、
穴の空いた絶縁性の円板を備えることとする。
【０００８】
また、請求項２に記載のごとく、
前記穴の空いた絶縁性の円板が溶液に接する面積が、前記検出基板が溶液に接触する面積より大きくなることを特徴とするものである。
【０００９】
また、請求項３に記載のごとく、
前記検出基板より電極を取り出す手段と、前記検出基板の外周を絶縁する手段を備えることとする。
【発明の効果】
【００１０】
本発明によれば、検出基板と、穴の空いた絶縁性の円板を備えることで、容易に脱着可能な物質検出プレートを提供することが可能となる。
【００１１】
したがって、使用後は溶液セルごと交換する必要がなく、計測ごとの単価が安価である。
【発明を実施するための最良の形態】
【００１２】
以下、本発明の最良の実施形態について図面を参照して説明する。なお、各図において共通する部分には、同一の符号を付し、重複した説明を省略する。
【００１３】
図２は、脱着可能プレートの概略図である。
この脱着可能プレートは、半導体上に作製される絶縁体上に物質感応膜を作製した検出基板と、
被検出物質を含む溶液を前記物質感応膜の表面へ接触させる手段と、
前記溶液の電位を安定させる手段と、
前記物質検出プレートにパルスレーザー光を照射することで、照射位置における被検出物質の量に依存する振幅強度を持ったパルス電磁波を発生させる手段と、
前記パルス電磁波の振幅強度を計測する手段と、
前記振幅強度より、被検出物質の有無を判定する手段を備えることを特徴とする物質検出装置において、
半導体と、
前記半導体上に作製される絶縁体と、
前記絶縁体上に作製される複数の物質感応膜と、
から構成される検出基板４と、
穴の空いた絶縁性の円板（穴あき円板３）とを備えるものである。
【００１４】
検出基板４の大きさは１５ｍｍ角で、穴あき円板３に接着している。
【００１５】
検出基板４の側面には電極５が作製されており，図示されていない検出基板４を構成する半導体薄膜に電気的に接触している。
【００１６】
検出基板４の側面および電極５は、樹脂モールド６によって保護されており、例え溶液セル内の溶液が流出したとしても溶液と検出基板４を構成する半導体薄膜とが電気的に接触することはない。
【００１７】
図３は脱着可能プレートと溶液セルとの設置方法を示す概略図である。
脱着可能プレート２１は、中央に穴のあいたシリコンゴムシート２２で挟まれている。
【００１８】
脱着可能プレート２１およびシリコンゴムシート２２は、取付板２３によって溶液セル１に取り付けられる。
【００１９】
実施例では取付板２３の固定には、ねじを使用している。
【００２０】
なお、本発明は、上記実施例に限定されるものではなく、本発明の趣旨に基づいて種々の変形が可能であり、これらを本発明の範囲から排除するものではない。
【産業上の利用可能性】
【００２１】
本発明の利用分野として、臨床検査、テーラーメイド医療、医学研究、医薬品開発、環境汚染物質評価、食品安全管理などの分野において、幅広く利用することができる。
【図面の簡単な説明】
【００２２】
【図１】従来技術に係る物質検査プレートの概略図である。
【図２】本実施形態の脱着可能プレートの概略図である。
【図３】脱着可能プレートと溶液セルとの設置方法を示す概略図である。
【符号の説明】
【００２３】
１  溶液セル
３  穴あき円板
４  検出基板
５  電極
６  樹脂モールド  
２１  脱着可能プレート
２２  シリコンゴムシート
２３  取付板
３２  溶液流入口
３３  溶液排出口
【図１】
2009097975.tif 000003
【図２】
2009097975.tif 000004
【図３】
2009097975.tif 000005